(57)【要約】  本発明は、ａ）構造３６の溝３７内にスライドするように適合された２つの対向する縁部１４を有するベースパネル１１と、ｂ）電気を伝導するように適合されたベース１１の２つの対向する縁部１４に配置された電気的接点の対と、ｃ）ホスト７０の電力システムおよび／またはホスト７０の他の電子システムに携帯型電子デバイス１８を接続するように適合された携帯型電子デバイス１８用の再充電可能なバッテリーまたは接続を有する適切な装備を有する電子デバイス１８に電荷を移動することができる１つまたは複数の電磁場を提供するように適合されたバッテリー再充電システム６２と、ｄ）バッテリー再充電システム６２に、または携帯型電子デバイス１８への接続に電気的接点の対を接続するための手段２６と、ｅ）１つまたは複数の再充電可能な携帯型電気デバイス１８をその上に載せるための表面を提供する１つまたは複数の表示パネル１２であって、かかるパネル１２は、携帯型電子デバイス１８の１人または複数のユーザが、携帯型電子デバイス１８の１つまたは複数のディスプレイを見ることができるように適合される、表示パネル１２と、ｆ）ベースパネル１１と１つまたは複数の表示パネル１２とを接続するため、およびトレイ１０を取り囲むためのパネル１３とを備えるトレイ１０に関する。トレイ１０は、トレイ１０に電力を供給するホストシステム７０で使用するように適合される。好ましい実施形態では、ホストシステム７０は、車両であるか、または車両において利用される。【選択図】図１
2013514057.tif 000002
【特許請求の範囲】
【請求項１】
トレイ（１０）であって、
ａ）構造（３６）の溝（３７）内にスライドするように適合された２つの対向する縁部１４を有するベースパネル（１１）と、
ｂ）ホストと携帯型電気デバイス（１８）との間で電気および／またはデータを伝導するように適合された接点（１５）の対と、
ｃ）ホストシステム（７０）の電源、前記ホスト（７０）の他の電子システム、またはその両方に携帯型電子デバイス（１８）を接続するように適合された、前記携帯型電子デバイス（１８）用の再充電可能なバッテリーまたは接続を有する、前記適切な装備を有する前記携帯型電気デバイス（１８）に、電荷を移動することができる１つまたは複数の電磁場を提供するように適合されたバッテリー再充電システム（６２）と、
ｄ）前記バッテリー再充電システム（６２）に、または前記携帯型電子デバイス（１８）への前記接点に、前記接点を接続するための手段（２６）と、
ｅ）１つまたは複数の携帯型電気デバイス（１８）をその上に載せるための表面を提供する１つまたは複数の表示パネル（１２）であって、かかるパネル（１２）が、前記携帯型電子デバイス（１８）の１人または複数のユーザが、前記携帯型電子デバイス（１８）の１つまたは複数のディスプレイを見られるようにするように適合される、表示パネル（１２）と、
ｆ）前記ベースパネル（１１）と前記１つまたは複数の表示パネル（１２）とを接続し、前記トレイ（１０）を取り囲むためのパネル（１３）と
を備える、トレイ。
【請求項２】
前記ホスト（７０）が車両である、請求項１に記載のトレイ。
【請求項３】
前記１つまたは複数の表示パネルが、前記車両の乗員のうちの１人または複数が、前記表示パネル上に置かれた再充電可能な携帯型デバイスのディスプレイを見られるようにするように適合された、請求項１または請求項２に記載のトレイ。
【請求項４】
１つまたは複数の携帯型電気デバイス（１８）を保持するように適合された前記表示パネル（１２）の底面に配置された棚（６０）をさらに備える、請求項１から請求項３のいずれかに記載のトレイ。
【請求項５】
前記再充電可能な携帯型電気デバイス（１８）を所望の場所に配置するための手段（３４）をさらに備える、請求項１から請求項４のいずれかに記載のトレイ。
【請求項６】
前記配置手段が、前記表示パネル（１２）の見えない面上に、またはその近くに配置された磁石（３４）である、請求項５に記載のトレイ。
【請求項７】
前記バッテリー再充電システム（６２）が、ｉ）前記接続手段（２６）に接続された制御モジュール（２５）と、ｉｉ）電気エネルギーを電磁場に変換するための手段（２７）と、ｉｉｉ）電気エネルギーを電磁場に変換するための前記手段（３３）と前記制御モジュールを接続するように適合された第２の接続手段と、ｉｖ）前記制御モジュール（２５）と電気エネルギーを電磁場に変換するための前記手段（３３）との間に配置されたシールド（２８）と、ｖ）電気エネルギーを電磁場に変換するための前記手段（６６）を前記表示パネル（１２）の前記見えない面上に、またはその近くに保持するための固定手段（６６）とを備える、請求項１から請求項６のいずれかに記載のトレイ。
【請求項８】
前記制御モジュール（２５）が、ベースパネル（１１）上に配置され、前記シールド（２８）が、前記制御モジュール（２５）と、電気エネルギーを電磁場に変換するための前記手段（３３）との間で、前記制御モジュール（２５）の上面上に配置される、請求項７に記載のトレイ。
【請求項９】
ｉｉ）電気エネルギーを電磁場に変換するための前記手段（３３）が、導電性ワイヤの円形コイルと、前記導電性ワイヤの円形コイル（３３）内にある磁石を備える前記配置手段（３４）とを備える、請求項７または請求項８に記載のトレイ。
【請求項１０】
前記携帯型電子デバイス（１８）および車両の他の情報システムと通信するように適合されたデータ交換システム（７０）をさらに備える、請求項１から請求項９のいずれか１つに記載されたトレイ。
【請求項１１】
前記データ交換システム（７０）が、前記携帯型電子デバイス（１８）とワイヤレスで通信する、請求項１０に記載のトレイ。
【請求項１２】
前記データ交換システム（７０）が、前記携帯型電子デバイス（１８）への直接接続の手段（６８）により、前記携帯型電子デバイス（１８）と通信する、請求項１０に記載のトレイ。
【請求項１３】
前記表示パネル（１２）または前記表示パネル（１２）の一部分が、前記携帯型電子デバイス（１８）上のディスプレイを異なる視点から見ることができるようにするために可動式である、請求項１から請求項１２のいずれか１つに記載のトレイ。
【請求項１４】
前記トレイ（１０）が、前記携帯型電子デバイス（１８）と情報を使用または発生する前記ホスト（７０）中のシステムとの間で情報を伝達するように適合された情報伝送システムをさらに備える、請求項１から請求項１３のうちのいずれか１つに記載のトレイ。
【請求項１５】
前記トレイ（１０）が、アーム（５０）によって取り付けられる、請求項７から請求項１４のうちのいずれか１つに記載のトレイ。
【請求項１６】
前記トレイ（１０）が、１つまたは複数の回転リンク（５２，５４）を含む、請求項７から請求項１５のうちのいずれか１つに記載のトレイ。
【請求項１７】
前記トレイ（１０）が、ロックアウト（５８）を含む、請求項７から請求項１６のうちのいずれか１つに記載のトレイ。
【請求項１８】
アセンブリであって、
トレイ（１０）を受けるように適合された少なくとも２つの実質的に平行なパネル（３９）によって規定された空間を有するハウジング（３６）であって、前記空間が、前記実質的に平行なパネル（３９）の各々に配置された２つの溝（３７）を有し、前記溝（３７）が、互いに平行に設けられ、電気を伝導しかつ／またはデータを伝送することができるホスト接点（３８）が、前記トレイ（１０）上の接点（１４）および電源または前記ホスト（７０）内の情報を使用または発生するシステムに前記接点（１５）を接続するための手段（６８）と接触することができるように、前記アセンブリに配置されるハウジング（３６）と、
請求項１から請求項１７のうちのいずれか１つに記載のトレイ（１０）であって、前記ベースパネル（１１）が、電気エネルギーおよび／またはデータが、前記ホスト（７０）から前記バッテリー再充電システム（６２）または携帯型電子デバイス（１８）の前記接続に伝導することができるような状況下において、前記トレイ（１０）の前記接点（１５）が、前記溝（３７）の前記接点（３８）に緊密に接触するような様式でスライドして、前記ハウジング（３９）の前記溝（３７）に入る、トレイ（１０）と
を備える、アセンブリ。
【請求項１９】
前記ハウジング（３６）が、車両に統合される、請求項１８に記載のアセンブリ。
【請求項２０】
前記ハウジング（３６）が、車両計器パネルまたは車両コンソールに統合される、請求項１９に記載のアセンブリ。
【発明の詳細な説明】
【技術分野】
【０００１】
（関連出願の相互参照）
本出願は、２００９年１２月２８日付けで出願された「Ｍｏｖａｂｌｅ  Ｍａｇｎｅｔ  ａｎｄ  Ｐａｎｅｌ  Ａｓｓｅｍｂｌｙ」と題する米国仮特許出願整理番号第６１／２９０，３４８号、２００９年１２月２８日付けで出願された「Ｒｅｃｈａｒｇｉｎｇ  ｏｒ  Ｃｏｎｎｅｃｔｉｏｎ  Ｔｒａｙ  Ｆｏｒ  Ｐｏｒｔａｂｌｅ  Ｅｌｅｃｔｒｏｎｉｃ  Ｄｅｖｉｃｅｓ」と題する米国仮特許出願整理番号第６１／２９０，３５２号、および２０１０年４月２２日付けで出願された「Ｒｅｃｈａｒｇｉｎｇ  ｏｒ  Ｃｏｎｎｅｃｔｉｏｎ  Ｔｒａｙ  Ｆｏｒ  Ｐｏｒｔａｂｌｅ  Ｅｌｅｃｔｒｏｎｉｃ  Ｄｅｖｉｃｅｓ」と題する米国仮特許出願整理番号第６１／３２６，８９３号に基づく優先権を主張し、当該出願はすべて、参照により本明細書に組み込まれる。
【０００２】
本発明は、一般に、携帯型電子デバイス用の再充電または接続トレイ、およびかかるトレイを含むアセンブリに関する。本出願のトレイおよびアセンブリは、特に、車両において有用である。
【背景技術】
【０００３】
携帯型電子デバイスは一般的であり、多くの人が１つまたは複数の携帯型電子デバイスを携帯している。携帯型電子デバイスは再充電が必要であり、しばしば、情報を使用および／または発生する別のシステムとの通信を行う必要がある。携帯型電子デバイスを再充電するため、または携帯型電子デバイスが、他の情報を発生または使用するシステムと通信できるようにするために、一般に、１つまたは複数の専用に設計されたコードを利用する直接接続を必要とすることがある。各デバイスは、異なるコードを使用し、また再充電のため、および情報を使用または発生するシステムと通信するために異なるコードを使用する場合がある。車両などのような多くの場所において、コードの存在は目障りであり、コードが他のデバイスの機能またはホストの制御と干渉する可能性があるので、安全上の問題を生じることがある。また、携帯型電子デバイスは、他の情報を使用または発生するシステムとの直接接続のための接続も有し、各携帯型デバイスは、一般に、固有の接続システムを有する。最近、携帯型電気デバイスのバッテリーをワイヤレスで充電するためのシステムが利用可能になった。そのようなシステムは、電磁場を発生するデバイスを利用する。携帯型電子デバイスは、電磁場に近接して配置されたとき、電磁場のエネルギーを携帯型電子デバイスのバッテリーを再充電するための電荷に変換することができるデバイスを必要とする。そのようなシステムの例は、Ｂａａｒｍａｎらの米国特許出願公開第２００８／０００１５７２号、Ｂａａｒｍａｎらの米国特許出願公開第２００９／０２１２６３７号、Ｂａａｒｍａｎらの米国特許出願公開第２００９／０１０６５６７号、Ａｒａｉの米国特許出願公開第２００８／０１２２２９７号、およびＡｚａｎｃｏｔらの国際特許公開第２００９／０４０８０７号に開示され、それらはすべて本明細書に参照により組み込まれる。
【０００４】
車両のようなホストシステム中の携帯型電子デバイスのユーザには、多くの問題が提示される。１つの問題は、各デバイスについて固有のコードを使用して携帯型電子デバイスを再充電しなければならないことである。別の問題は、そのようなデバイスは、ホストシステムにおける汎用の接続システムの使用を妨げる固有の直接接続システムを有することである。別の問題は、１つまたは複数のコードが不便な場所につるされる可能性がある、または、それらの場所、たとえば、車両シフト制御または他の車両制御において、もしくはそのまわりの場所に起因して、安全性の問題が存在する可能性がある１つまたは複数のコードが必要なことである。携帯型電子デバイスの使用に関連する別の問題は、ユーザが、携帯型電子デバイスに関連付けられた１つまたは複数のディスプレイを見なければならず、たとえば、車両において、ディスプレイを簡単に見られるようにするために携帯型電子デバイスを配置するための場所がないことである。
【０００５】
別個の電力コードを必要とすることなく、携帯型電子デバイスが、ホスト電力システムに接続して充電することができ、かつ／または情報を使用もしくは発生するシステムに接続できるようにするシステムが必要とされる。さらに、携帯型電子デバイス上のディスプレイをユーザが簡単に見られるようにするようなシステムが必要とされる。
【発明の概要】
【０００６】
本発明は、上記ニーズのうちの１つまたは複数を満たし、ａ）構造の溝内にスライドするように適合された２つの対向する縁部を有するベースパネルと、ｂ）データおよび／または電気を伝達するように適合された１つまたは複数の接点と、ｃ）携帯型電子デバイスをホストの電力システムおよび／またはホストの他の電子システムに接続するように適合された携帯型電子デバイス用の再充電可能なバッテリーまたは接続を有する適切な装備を有する電気デバイスに、電荷を移動することができる１つまたは複数の電磁場を提供するように適合されたバッテリー再充電システムと、ｄ）バッテリー再充電システムに、および／または携帯型電子デバイスへの接続に、接点を接続するための手段と、ｅ）１つまたは複数の再充電可能な携帯型電気デバイスをその上に載せるための表面を提供する１つまたは複数の表示パネルであって、かかるパネルは、携帯型電子デバイスの１人または複数のユーザが、携帯型電子デバイスの１つまたは複数のディスプレイを見ることができるように適合された、表示パネルと、ｆ）ベースパネルと１つまたは複数の表示パネルとを接続するため、およびトレイを取り囲むためのパネルとを備えるトレイである。トレイを取り囲むパネルは、バッテリー再充電システムおよび／または携帯型電子デバイスへの接続に接点を接続するための手段、ならびにバッテリー再充電システムまたは携帯型電子デバイスへ接続の一部分が見えないように隠すのが好ましい。トレイは、トレイに電力を供給する、または携帯型電子デバイスとホストのシステムとの間でデータを伝達するホストシステム中で使用するように適合される。好ましい実施形態では、ホストシステムは、車両であり、あるいは車両内で利用される。
【０００７】
別の実施形態では、本発明は、アセンブリであり、トレイを受け入れるように適合された少なくとも２つの実質的に平行なパネルによって規定された空間を有するハウジングであって、その空間が、実質的に平行なパネルの各々に配置された２つの溝を有し、溝が、互いに平行に設けられ、電気を伝導しおよび／またはデータを伝送することができるホストの接点が、トレイ上の接点、ならびに電源またはホスト中の情報を使用または発生するシステムにホストの接点を接続するための手段に接触するように、アセンブリに配置される、ハウジングと、本発明によるトレイであって、ベースパネルが、電気エネルギーおよび／またはデータが、ホストからバッテリー再充電システムまたは携帯型電子デバイスの接続に伝導することができるような状況下において、トレイの接点が、ホストの接点と緊密に接触するような様式でスライドして、ハウジングの溝に入る、トレイとを備える。
【０００８】
本発明のトレイおよびアセンブリにより、固有のコードを必要とすることなく、車両などのようなホストにおける携帯型電子システムの充電および／またはホストへの接続が可能になる。トレイにより、ユーザは、便利かつ安全に１つまたは複数の携帯型電子デバイスのディスプレイを見られるようになる。本発明のトレイおよびアセンブリにより、ユーザは、安全に携帯型電子デバイスを利用できるようになる。
【図面の簡単な説明】
【０００９】
【図１】使用時における本発明のトレイの図である。
【図２】トレイの内部構成要素のうちのいくつかを示す、トレイの切欠図である。
【図３】本発明のトレイの突出部、およびトレイの電気的接点の拡大図である。
【図４】ベースパネルの下側部分に配置された内部構成要素を示す、ベースパネルの下側部分の図である。
【図５】内部バッテリー充電器を示す、本発明のトレイの図である。
【図６】トレイが直立位置にある、本発明のアセンブリの図である。
【図７】表示パネルが下を向いている、本発明のアセンブリの図である。
【図８】溝および金属接点を示す、本発明のトレイをその中に配置することができるハウジングの１つのパネルの図である。
【図９】トレイおよび別の装着機構を示す図である。
【図１０】トレイおよび別の装着機構を示す図である。
【発明を実施するための形態】
【００１０】
本発明は、携帯型電子デバイスを再充電し、携帯型電子デバイスをホストに接続するために有用なトレイに関する。本明細書で使用される場合ホストとは、携帯型電子デバイスと連携して本発明のトレイおよびアセンブリを利用することができるような場所を含む、携帯型電子デバイスを使用することができる、あるいは携帯型電子デバイスが情報を共有するためにインタラクトする任意のシステムを意味する。そのようなホストは、車両、あるいは娯楽システムまたはコンピュータシステムのような、情報を使用または発生するシステムとすることができる。好ましくは、ホストは車両である。
【００１１】
一実施形態では、本発明は、以下の機能、すなわち、ワイヤレスで、または専用の接続を介してのいずれかで、携帯型電子デバイスを再充電すること、携帯型電子デバイスを保管すること、デバイスのディスプレイが簡単にユーザに見えるような様式で、携帯型電子デバイスを支持すること、所望の場所に携帯型電子デバイスを固定すること、携帯型電子デバイス用の１つまたは複数の充電コードまたは接続コードの必要性をなくすこと、データまたは情報を使用または発生するシステムとの携帯型電子デバイスの通信を容易にすること、ならびに車両における携帯型電子デバイスの使用の安全性を向上させることのうちの１つまたは複数を実行するように適合されたトレイである。情報を使用または発生するシステムは、出力を発生する、またはシステムの性能を調節するために、情報およびデータの入力をとる任意のシステムである。そのようなシステムには、車両において見られるオンボードコントローラを含むコンピュータシステム、オーディオおよびビデオシステム、ナビゲーションシステム、車庫のドア開閉機、照明、建物の出入口などのような遠隔で制御するシステムなどに適合されたワイヤレスコントローラが含まれる。
【００１２】
本発明のトレイは、その上にトレイが組み付けられるベースとして機能するベースパネルを備える。ベースは、トレイの載置を支持し、トレイが組み込まれているまたは組み込まれるであろう任意のシステムと通信するように機能する。ベースパネルは、ベースパネルの対抗する側の上の２つの縁部を含む。トレイは、ベースパネルの対向する縁部が、突出部を形成するように構成され、その突出部は、スライドして、トレイを定位置に保持するように適合されたアセンブリの溝に入るように適合することができる。好ましい実施形態では、ベースパネルの形状は、正方形または長方形であり、より好ましくは、実質的に平坦である。ベースパネルは、内部構成要素を固定することができる下側部分と、内部構成要素の一部を取り囲むように適合された上側部分との２つの部分を備えることができる。この実施形態では、上側部分および下側部分を組み合わせて、ベースパネルを形成し、ワイヤおよび制御モジュールなどのようなある特定の内部構成要素を取り囲むことができる。ベースパネルの２つの部分は、通常の使用中に、それらの部分を一緒に保持することができる任意の接続システムによってともに保持することができる。２つの部分をともに保持するための接続システムは、好ましくは、スナップ嵌合、ねじ、またはそれらの組合せを含む。好ましい実施形態では、ベースパネルの２つの部分は、内側部品の修理または交換を容易にするために、内側部分にアクセスできるように分離することができるような様式で、一緒に保持される。好ましい実施形態では、ベースパネルの底面、トレイの内側に配置された面と対向する面は、底面が上を向くように置かれたときに、トレイとして機能するように適合される。より具体的には、トレイは、トレイの底面が上を向くように他の部分を下に向けた状態でアセンブリ中に配置することができ、トレイの底面は、使用していないときに携帯型電子デバイスを含む物品の保管のために使用することができる。ユーザから見える必要がない、または何らかの様式で環境から保護しなければならないトレイの部分は、トレイ構造の内側の面に沿って、ベースパネルに装着することができる。
【００１３】
さらに、トレイは、ホストの電気システムまたは別のシステムとのトレイの接触を容易にするように適合された１つまたは複数の接点を有する。これらの接点は、トレイの任意の場所に配置することができ、それにより、ホストの適切な接点とトレイの接点が接触することができるようになる。トレイ上の接点は、ホストと携帯型電子デバイスとの間で、電気エネルギーまたはシステムデータを伝送できるようにする任意の形態とすることができる。接点が電気的接点である実施形態では、接点の対が存在する。接点は、トレイの突出部の背面または側面のうちの１つまたは複数を含む任意の場所で、トレイ上に配置することができ、それにより、それらの接点が、ホストの電気システムと接触できるようになる。好ましい実施形態では、電気的接点は、ベースパネルの突出部上に配置され、この電気的接点は、トレイがスライドしてアセンブリの溝に入ったときに、この電気的接点が、溝の中の電気的接点と接触するように配置される。溝の中の電気的接点は、さらに、ホストの電源に接続される。溝の接点およびトレイの接点は、電気をホストからトレイに、最終的には携帯型電子デバイスに伝送するように協働する。電気を使用して、携帯型電子デバイスを運転する、または携帯型電子デバイス中に含まれるバッテリーを充電することができる。ベース上に配置された接点は、電気を伝送することができ、かつ、ベースパネルの縁部にある突出部から突出するように配設することができる任意の接点とすることができる。接点は、アセンブリの溝の接点と接触するために十分なだけ突出しなければならない。代替的には、電気的接点は、パネルのベース上に配置された凹部に配置することができ、ホストの接点は、トレイの電気的接点と接触する様式で、ホストから突出することができる。好ましくは、接点は、銅などのような導電性金属で構成される。好ましくは、電気的接点は、ベースパネルの側面のうちの一方もしくは両方、または背面に取り付けられた金属ストリップである。好ましくは、接触は、ベースパネル上の突出部の一方または両方に配置される。好ましくは、金属ストリップは、ストリップの中央がベースパネルの側面から突出する様式で折り曲げられる。好ましい実施形態では、電気的接点は、ベースパネル中の突出部の側面に沿った凹部に配置され、電気的接点の一部分がベースパネルの縁部から突出し、それにより、これらの前記的接点が、本発明のアセンブリのパネルの溝の中に配置された金属接点と接触できるように配設される。好ましい実施形態では、アセンブリからトレイが引き出され、電気的接点は依然としてアセンブリの溝の導電性の金属接点と接触したままでいることができるように、電気的接点は、ベースパネルの後方に向かって配置される。携帯型電子デバイスをホストのシステムに接続するように、接点が適合される実施形態では、接点は、本明細書で前述されたように配設することができる。代替的には、接点は、プラグか、またはプラグレセプタクルのいずれかとすることができ、ホスト中のプラグまたはプラグレセプタクルと組み合わせられる。１つの実施形態では、トレイは、トレイの背面にプロングを含むことができ、プロングはホストのプラグと組み合わせられる。そのようなプロングは、トライの背面に固定することができ、または好ましくは背面で、トレイに接続された可撓性ワイヤシステムの端部とすることができる。
【００１４】
トレイは、携帯型電子デバイスをホストの電力システムに接続するように、ホストの情報を使用または発生するシステムと通信するように、あるいはそれらの両方を行うように適合された携帯型電子デバイス用のバッテリー再充電システムまたは接続をさらに備える。トレイは、携帯型電子デバイス用のバッテリー再充電システムおよび接続の両方を含むことができる。バッテリー再充電システムは、携帯型電子デバイスのバッテリーを再充電するように機能する任意の再充電システムとすることができる。そのようなシステムは、当業者に知られている。トレイがホストの電力システムへの接続を含んでいる実施形態では、携帯型電子デバイスのバッテリーは、一般に、携帯型電子デバイスに統合された再充電システムを使用して充電されることになる。好ましい実施形態では、バッテリー再充電システムは、適切な装備を有する携帯型電子デバイスを再充電するために電磁場を使用する。そのような再充電システムの例は、Ｐｏｗｅｒｍａｔ  ａｎｄ  ｌｉｃｅｎｓｅｅｓ  ｏｆ  Ｆｕｌｔｏｎ  Ｉｎｎｏｖａｔｉｏｎ  Ｉｎｃ．から入手可能であり、Ｂａａｒｍａｎらの米国特許出願公開第２００８／０００１５７２号、Ｂａａｒｍａｎらの米国特許出願公開第２００９／０２１２６３７号、Ｂａａｒｍａｎらの米国特許出願公開第２００９／０１０６５６７号、およびＡｒａｉの米国特許出願公開第２００８／０１２２２９７号、ならびにＡｚａｎｃｏｔらの国際特許公開第２００９／０４０８０７号に開示されるようなシステムを含む。これらはすべて、本明細書に参照により組み込まれる。好ましい実施形態では、バッテリー再充電システムは、ｉ）接続手段に接続された制御モジュールと、ｉｉ）電気エネルギーを電磁場に変換するための手段と、ｉｉｉ）電気エネルギーを電磁場に変換するための手段と制御モジュールを接続するように適合された第２の接続手段と、ｉｖ）制御モジュールと電気エネルギーを電磁場に変換するための手段との間に配置されたシールドと、ｖ）電気エネルギーを電磁場に変換するための手段を表示パネルの見えない面の上に、またはその近くに保持するための固定手段とを備える。制御モジュールは、電気を電磁場に変換するための手段への電気の流れを制御するように機能する。一般的には、制御モジュールは、トレイの電気的接点に、および電気を電磁場に変換するための手段に接続される。一般的には、制御モジュールは、バッテリー再充電システムの機能を制御するように適合された回路板および／またはコンピュータチップを含む。制御モジュールは、トレイ内に配置されるのが好ましい。制御モジュールは、トレイ内の任意の場所に配置することができる。制御モジュールは、ベースパネル上に配置されるのが好ましい。好ましい実施形態では、制御モジュールは、ベースパネルに固定される。制御モジュールは、トレイ内で動きまわった結果生じる損傷されることから保護するために、ベースパネルに固定することができる。バッテリー再充電システムは、電気エネルギーを電磁場に変換するための手段と制御モジュールを接続するように適合された第２の接続手段を含む。一般に、第２の接続手段は、制御モジュールと電気エネルギーを電磁場に変換するための手段との間で電気および／または情報を伝導するように機能する任意の手段とすることができる。好ましい実施形態では、第２の接続手段は、２つ以上のワイヤ、ワイヤハーネスピグテールなどである。好ましくは、第２の接続手段は、電気を伝導するワイヤの対である。電気を電磁場に変換するための手段は、電気を電磁場に変換する任意の手段とすることができ、電磁場は、携帯型電子デバイスのバッテリーを充電するために、電磁エネルギーを電気に変換することができる適切な装備を有する携帯型電子デバイスに電気を提供することができる。好ましい実施形態では、電気エネルギーを電磁場に変換するための手段は、導電性ワイヤの円形コイルを備える。ワイヤのそのようなコイルは、表示パネルの内側表面（見えない表面）の近くに、またはそれに隣接して配置されるのが好ましい。コイルにおける外周、ワイヤの太さ、およびワイヤの数は、電源に接続されたときに所望の電磁場が生成されるような様式で選択される。バッテリー再充電システムは、電気エネルギーを電磁場に変換するための手段を、表示パネルの見えない面上に、またはその近くに保持するための固定手段をさらに備える。そのような固定手段は、所望の場所に、電気エネルギーを電磁場に変換するための手段を固定する任意の方法を備えることができる。そのような固定手段は、表示パネルの内側に固定されたパネル、ばね、ゴムバンド、１つまたは複数のアーマチュアなどを備えることができ、２つ以上がある場合には、それらは相互接続される。そのような固定手段は、２００９年１２月２８日付けで出願された米国仮特許出願整理番号第６１／２９０，３４８号に基づく優先権を主張し、同一出願人が所有する、本出願と同時に出願された同時係属中の「Ｍｏｖａｂｌｅ  Ｍａｇｎｅｔ  ａｎｄ  Ｐａｎｅｌ  Ａｓｓｅｍｂｌｙ」と題する整理番号      に開示されるように、再充電手段を表示パネルに平行に、ｘおよびｙ方向に動かすことができるように配設することができる。固定手段が１つまたは複数のアーマチュアである実施形態では、そのようなアーマチュアは、以下に記載されるように構成することができる。アーマチュアは、ブリッジ構成要素に回転可能に取り付けられ、ブリッジ構成要素は、トレイのパネルに取り付けられる。電気エネルギーを電磁場に変換するための手段は、下側アームの端部に固定される。このように構成することにより、電気エネルギーを電磁場に変換するための手段は、電気エネルギーを電磁に変換するための手段が接線力を受けるときに、相互接続されたアーマチュアの範囲内のほぼどこにでも動くことができるようなる（ｘおよびｙ移動）。また、アーマチュアは、所与のアーマチュアの相対運動を（たとえば、３６０度未満の回転に）制限するように機能してもよい幾何学フィーチャ（たとえば、タブ、突出部など）を含んでもよいことが企図される。好ましい実施形態では、電気エネルギーを電磁場に変換するための手段は、表示パネルの平面に実質的に平行に配置される。固定手段は、浮動性にすることができ、または、固定手段が所望の場所に配置されると定位置に固定することができる。当業者には、固定手段を定位置に固定するための手段がよく知られている。制御モジュールと電気エネルギ���を電磁場に変換するための手段との間に配置されたシールドは、電気エネルギーを電磁場に変換するための手段により発生された電磁場から制御モジュールを遮蔽するように機能する。電磁場は、制御モジュールの機能において干渉する可能性がある。シールドは、制御モジュールと電気エネルギーを電磁場に変換するための手段との間に配置される。シールドは、制御モジュール、または電気エネルギーを電磁場に変換するための手段に隣接して配置することができる。シールドは、電磁放射がシールドを通過できないようにする、または制御モジュールの機能とに干渉しない量の電磁放射のみがシールドを通過することができるようにする任意の材料から製造することができる。シールドは、鋼などのような鉄含有材料から製造することができる。電気エネルギーを電磁場に変換するための手段を表示パネルの見えない側に、またはその近くに保持するための手段が、電磁または微量（制御モジュールの機能に干渉しない量）の電磁放射を伝送しない材料から製造される１つの実施形態では、そのような手段は、また、シールドとして作用することができる。シールドは、制御モジュールが電磁放射から保護されるようなサイズのものとすることができる。好ましい実施形態では、シールドは、制御モジュールと電気エネルギーを電磁場に変換するための手段を表示パネルの近くに保持するための手段との間で、制御モジュールに固定される。
【００１５】
トレイは、１つまたは複数の携帯型電子デバイスをその表示パネルの上に載せることができるように適合された１つまたは複数の表示パネルをさらに備える。好ましい実施形態では、表示パネルは、１つまたは複数の電子デバイスの１人または複数のユーザが、電子デバイスに簡単にアクセスでき、携帯型電子デバイスに統合された任意のディスプレイを見ることができるように配設される。表示パネルは、２つ以上の表面を有することができ、各表面は、異なる平面上に設けられている。表示パネルが、異なる平面に設けられた２つ以上の表面を有するとき、その表面の相対的な場所は、２人以上のユーザが一度に携帯型電子デバイス上のディスプレイを見られるようにすることができるように選択される。ホストが車両である実施形態では、異なる表面は、異なる場所にいる車両の異なる乗員が、異なる携帯型電子デバイスの異なるディスプレイを見られるようにすることができるように配設されてもよい。表示パネル全体または表示パネルの一部分は、ユーザが、１つまたは複数の携帯型電子デバイス上の１つまたは複数のディスプレイを見る場合がある方向を調節できるようにするために、異なる場所へ移動可能であってもよい。表示パネルの可動部分は、様々な固定場所を有してもよい。この場所は、スロット、突出部、デテントなどのような、可動部分を定位置に固定するための任意の既知の手段により、固定されてもよい。一実施形態では、表示パネルの一部は、軸上で回転可能、などとすることができる。この実施形態では、ディスプレイは軸を中心として回転し、表示パネルおよび表示パネルに取り付けられたパネルは、表示パネルが回転できるようになるように、それらが合う枢動点を作成する。表示パネルの各端部から突出し、表示パネルを定位置で保持するために隣接するパネルの孔に着座するロッドを表示パネル内に設けることができ、ロッドにより作成された軸のまわりを表示パネルが回転できるようになる。代替的には、表示パネルおよび隣接するパネルは、突出部と、表示パネルを着座させる突出部のための座部とを有することができ、作成された軸を中心に回転できるようになる。本発明のトレイは、１つまたは複数の携帯型電子デバイスを表示パネル上の定位置で保持する手段をさらに含んでもよい。そのような手段は、クリップ、ゴムバンド、ばね式ブロック、戦略的に配置された磁石、Ｖｅｌｃｒｏ（商標）ストリップなどを含む、携帯型電子デバイスを定位置で保持する任意の機械的手段とすることができる。１つの実施形態では、携帯型電子デバイスは、表示パネルの内側または表示パネルの見えない表面に隣接して、またはその近くに配置された磁石の手段を用いて、定位置に保持される。この実施形態では、携帯型電子デバイスは、デバイスを定位置で保持するために、トレイ中に配置された磁石と協働するように適合された磁石または金属部分を含んでいる。トレイが、電磁場を発生するように適合されたワイヤコイルを備える実施形態では、磁石は、コイルの中央に配置することができる。また、適切な装備を有する携帯型電子デバイスは、磁石、または磁石を引き付ける金属部分も含んでいる。これらの適切な装備を有する携帯型電子デバイスは、コイル中に配置された磁石に引き付けられるように適合される。携帯型電子デバイスの磁石または金属部分をコイル中に配置された磁石と一列に並べることによって、携帯型電子デバイスが、携帯型電子デバイスのバッテリーを充電するために、電磁場を電気に変換するための必要な機器を有していると仮定すると、携帯型電子デバイスを再充電することができるように、携帯型電子デバイスは適切に位置合わせされる。代替的には、トレイは、参照により本明細書に組み込まれる２００９年１２月２８日付けで出願された米国仮特許出願第６１／２９０，３４８号に基づく優先権を主張し、同一出願人が所有する、本出願と同時に出願された同時係属中の「Ｍｏｖｅａｂｌｅ  Ｍａｇｎｅｔ  ａｎｄ  Ｐａｎｅｌ  Ａｓｓｅｍｂｌｙ」と題する整理番号      に記載され、かつ特許請求されるように、表示パネルに実質的に平行に、ｘおよびｙ軸で磁石を連結された運動ができるように適合された可動式の磁石システムを備えてもよい。表示パネルは、携帯型電子デバイスを表示パネル上に保持するように適合された表示パネルの底部に固定された棚を有してもよい。好ましくは、棚は、表示パネルの表面のうちの１つまたは複数に垂直な平面に設けられたパネルである。好ましい実施形態では、ベースパネルの平面に関する表示パネルの平面の角度は、９０度未満であり、表示パネルは、車両の運転者のようなホストシステムのユーザが、携帯型電子デバイスのディスプレイを簡単に見ることができるような様式で、再充電可能な携帯型電子デバイスをディスプレイ上に載せることができるように設けられる。別の実施形態では、さらに、棚は、表示パネルと平行で対向し、棚によって表示パネルと離隔したショートパネルに取り付けることができる。このショートパネルは、携帯型電子デバイスを定位置で保持するのを補助するように適合される。別の実施形態では、表示パネルは棚および対向するショートパネルを有し、表示パネルは、表示パネルに着座し、表示パネルから突出するばね式ブロックをさらに備えることができる。このばね式ブロックは、表示パネル、棚および対向するショートパネルによって作成されたトレイ中に携帯型電子デバイスを保持するように機能する。ブロックは、携帯型電子デバイスを係合し、それを表示パネルと短い対向するパネルとの間に保持し、ばねは、携帯型電子デバイスを表示パネル上に、またはその中に保持するのに十分な張力を提供する。
【００１６】
本発明のトレイは、１つまたは複数の携帯型電子デバイスをホストに接続するように適合された１つまたは複数の接続を含むことができる。これは、ホストが車両である場合に特に有利である。接続は、携帯型デバイスが、携帯型デバイスをホストの電源に直接的に接続でき、情報を使用または発生するホストのシステムと情報またはデータを交換できるようになるように適合することができる。接続は、携帯型電子デバイスとともに使用される任意の既知の接続とすることができる。現在、様々な接続システムが携帯型電子デバイスとともに利用されていることに起因して、接続は、特定の携帯型電子デバイスに専用でなければならないことがある。デバイスまたはそのようなデバイスの付属品の製造業者は、特定のデバイスとともに使用するように特に適合された接続を備えるトレイを提供する場合があることが企図される。そのような接続の例として、Ａｐｐｌｅ  ＩＰＯＤ（商標）ジャック、衛星ラジオジャックなどが挙げられる。別の実施形態では、様々なデバイスで使用される標準的な接続をトレイに対して使用されてもよい。そのような標準的な接続として、ＵＳＢ接続ポート、携帯電話用の標準的な電力ジャック、ミニＵＳＢポートなどが挙げられる。一実施形態では、接続は、車両の電力供給システムのようなホストの電力供給システムと連通するドッキングジャックを含んでもよい。
【００１７】
トレイは、ベースパネルを表示パネルに接続するための１つまたは複数のパネルをさらに備える。そのような接続パネルは、トレイを取り囲むために必要とされる残りの部分または構造を提供するように機能する。接続パネルは、ベースパネルおよび表示パネルと連携して、トレイの構造を規定し、トレイの内側に配置されたトレイの一部を保護するように機能する。ベースパネル、表示パネルおよび接続パネルは、トレイおよびパネルの所望の構造および形状を互いに関して維持する任意の接続方法によって接続されてもよい。パネルは、定位置に成形され、接着剤または機械的固定具、あるいはそれらの任意の組合せによって一緒の保持されてもよい。パネルは、トレイまたはトレイが組み込まれるアセンブリの機能に干渉しない任意の材料から製造されてもよい。トレイは、プラスチック材料から製造されるのが好ましい。使用環境に耐えることができ、必要な構造的な完全性を提供することができる任意の材料が使用されてもよい。好ましいプラスチック材料として、強靭化ポリオレフィン（好ましくはポリプロピレン、より好ましくはエラストマー変性ポリプロピレン）、またはポリカーボネートとアクリロニトリル−ブタジエン−スチレンターポリマーとの混合物（ＰＣ／ＡＢＳ）が挙げられる。
【００１８】
別の実施形態では、トレイは、データ交換システムとして機能するように適合されたモジュールを備えることができる。データ交換システムは、データまたは情報を発生または使用する異なるシステム間でデータまたは情報を伝達するためのシステムである。データ交換モジュールは、本明細書で以下に記載するような接続を介して、携帯型電子デバイスに直接的に接続することができ、またはワイヤレスで接続することができる。データ交換モジュールがワイヤレスで携帯型電子デバイスに接続される実施形態では、トレイの内部部分にモジュールを配置することができる。データ交換モジュールは、ホストの他のシステム使用の情報発生とワイヤレスで通信することができる。代替的には、データ交換モジュールは、ホストへの直接接続を有することができる。ホストが車両である実施形態では、データ交換モジュールは、車両のワイヤハーネスに直接的に接続する、またはピグテール、ＲＣＡケーブル、ＵＳＢワイヤ、ファイアワイヤ、ＨＤＭＩケーブルなどによって接続することができる。データ交換モジュールが、携帯型電子デバイスおよび他の情報を発生または使用するシステムとワイヤレスで通信する場合、ブルートゥースシステム、ＲＦ（無線周波数）システム、ＷＩＦＩシステムなどを含む任意の既知のワイヤレスデータ通信システムが使用されてもよい。
【００１９】
別の実施形態では、本発明は、本発明のトレイを含むアセンブリである。そのようなアセンブリは、トレイを受け入れるように適合された、少なくとも２つの実質的に平行なパネルによって規定された空間を有するハウジングであって、その空間は、実質的に平行なパネルの各々の中に配置された２つの溝を有し、それらの溝は互いに平行に設けられ、電気を伝導することができる金属接点は、溝および金属接点を電源に接続するための手段中に配置される、ハウジングと、本発明によるトレイであって、トレイのベースパネルは、バッテリー再充電システムへの２組の接点、または携帯型電子デバイス用の接続を介して、電源から電気エネルギーを伝導することができるような状況下において、トレイの電気的接点が、パネルの溝の金属接点と緊密に接触するような様式で、ハウジングの溝中に配置することができるトレイとを備える。アセンブリは、本明細書で以下に記載するように任意のホストシステムにおいて使用するように適合することができる。アセンブリは、娯楽システム、コンピュータシステム、またはそれらの構成要素とすることができる。ホストが車両である場合には、アセンブリは、計器パネル、床設置カウンセル、シート構造、または頭上設置コンソールとすることができる。頭上設置カウンセルは、車両の天井に統合することができる。アセンブリは、少なくとも１つのポイントを有するパネルを含み、そのパネルは、互いに実質的に平行で、トレイのベースパネル上の突出部を受け入れ、それを保持するように適合された溝を有する。溝は、アセンブリおよびホストの通常の使用中に、トレイを定位置で保持するのに十分に頑丈である。ホストが車両である実施形態では、溝およびパネルは、行程の間、トレイを定位置に保持するのに十分に頑丈である必要がある。溝の中には、電源に接続され、トレイ上の電気的接触に電力を伝送することができる金属接点がある。本発明では、トレイ上の整合する接点に電気を伝送し、溝の中に配置することができる任意の電気的接触が使用されてもよい。好ましくは、溝の中の金属接点は、溝の全長にわたって設けられた金属ストリップを備え、それにより、トレイをアセンブリに対して様々な位置に置くことを可能にする。好ましくは、溝の中の金属接点は、常に電源と接触しており、それにより、トレイの電気システムが、アセンブリの溝と接触するときに需要に応じて電気を受けることを可能にする。
【００２０】
トレイは、好ましくは、ベースパネル上に、アセンブリの溝内の所定の場所にトレイを保持するように適合された１つまたは複数のロケータを含む。これらのロケータは、使用の間、トレイをある特定の場所に保持するために使用される。好ましくは、アセンブリは、溝の場所の中に、またはその近くに、トレイのロケータと協働してアセンブリ中の所定の場所にトレイを保持するホルダーを有する。ロケータは、アセンブリ中の所定の場所にトレイを保持する所望の機能を実行する任意の形態をとることができる。好ましくは、ロケータは、ベースパネル中に形成された、またはベースパネルに取り付けられたリッジ、アセンブリ中の様々な場所に配置されたチャネルの組、アセンブリ中の突出部、アセンブリ中の係止フィーチャ（デテントまたはストップ）などを含む。これらのロケータは、アセンブリのロケーションホルダーと協働できるとすれば、ベースパネルの縁部、上面または下面に配置することができる。アセンブリのロケーションホルダーは、トレイを定位置に保持するためにトレイのロケータと協働する機能が達成される限り、任意の形態とすることができる。好ましい実施形態では、ロケータは、ベースパネルの後ろ側の上面または下面に配置される。ロケータを上面と下面の両方に配置することにより、ディスプレイトレイが直立し、使用時、および、表示パネルが下向きに配向された場合、使用していない、
配向で、トレイを定位置に保持することができるようになる。表示パネルが下向き位置に配置されている場合、トレイは、一時記憶装置のために、あるいは、ユーザが自由にアクセスしたいと望んでいる物品を保持するために、使用することができる。
【００２１】
トレイは、１つまたは複数のアームに取り付けられてもよい。アームは、アームがトレイを動かすことができるようにするデバイスに接続されてもよい。アームは、トラック（すなわち、リンクトラック）に接続されるのが好ましい。トラックおよびアームは、トレイが外に延びてユーザエリアに入るのに十分な長さを有してもよく、ユーザは、トレイを動かし、トレイを使用することができる。好ましくは、トラックは、アームを約５０ｍｍ以上延ばしてユーザエリアに入ることができるように、より好ましくは、約７５ｍｍ以上延ばしてユーザエリアに入ることができるように、またはさらに好ましくは、約１００ｍｍ以上延ばしてユーザエリアに入ることができるように、最も好ましくは、約１１０ｍｍ以上延ばすことができるようにしてもよい。アームは、任意の様式で延び、トレイを支持してもよい。好ましくは、アームは、片持ちの様式でトレイを支持してもよい。
【００２２】
アームは、トレイ、アーム、またはそれら両方を回転させることを可能にする１つまたは複数のデバイスを含んでもよい。アームは、１つまたは複数の回転リンクを含んでもよい。好ましくは、アームは、２つの回転リンクを含む。アームの第１の端部に第１の回転リンクを、アームの第２の端部に第２の回転リンクを配置してもよい。しかしながら、回転リンクは、アームの中央に配置されてもよい。第１の回転リンクは、トラック上にまたはその近くに配置されてもよい。第１の回転リンクは、アームが、トレイを任意の方向に回転させることを可能にしてもよい。第１の回転リンクは、アームを横方向に動かすことを可能にしてもよい。第１の回転リンクは、アームを上下方向に動かすことを可能にしてもよい。第２の回転リンクは、トレイを任意の方向に回転させることを可能にしてもよい。第２の回転リンクは、トレイを横方向に動かすことを可能にしてもよい。第２の回転リンクは、トレイを上下に動かすことを可能にする。第１の回転リンクも第２の回転リンクも、トレイが移動不能となるように、または係止されるように、トレイを回転した位置に係止することを可能にする特徴を含んでもよい。回転リンクは、任意の角度だけ回転する能力を有する。好ましくは、回転リンクは、約１０度以上、より好ましくは、約２０度以上、またはさらにより好ましくは、約２５度以上回転する。好ましくは、回転リンクは、約９０度以下、より好ましくは、約６０度以下、さらにより好ましくは、約４５度以下（たとえば、約３０度）回転する。
【００２３】
トラックは、トレイが延びているときにトレイがスライドしないように、ロックアウト（締出し体）形体（フィーチャ）を含むことができる。ロックアウト形体は、トレイが保管位置にないときに、トレイを係止してもよい。ロックアウト形体は、トレイが回転して保管位置になるまでトレイが動かないように、回転リンクのうちのいずれかを回転させるときに、トレイを係止してもよい。
【００２４】
トレイが使用中でないときには、トレイは保管されてもよい。トレイは、車両構成要素の内側に収容されてもよい。好ましくは、トレイは、車両コンソール、ダッシュボードなどの内側に保管される。車両のハウジングは、カバーまたは扉を含んでもよい。トレイが保管位置にあるとき、トレイの前面が、トレイが保管される車両構成要素と同一の外観を有するように、トレイにカバーが統合されてもよい。扉は、トレイと分離されていてもよい。扉は、トレイを隠すことができる任意のタイプの扉であってもよい。扉は、タンブールドア、フリップアップ扉、スライド扉などであってもよい。本明細書で記載される他の実施形態のうちのいずれかとともに、トラック、アーム、回転可能なリンク、ロック、またはそれらの組合せが使用されてもよいことが企図される。
【００２５】
本発明のトレイおよびアセンブリは、再充電することができ、機能するために電気を必要とする任意の携帯型電子デバイスとともに、またはホストの他の情報を発生または使用するシステムに接続することができる任意の携帯型電子デバイスとともに使用することができる。そのような携帯型電子デバイスの例として、携帯電話、携帯情報端末、ＡｐｐｌｅのＩＰＯＤ（商標）携帯型娯楽デバイスおよびＺｕｎｅ（商標）携帯型娯楽デバイスのような携帯型娯楽デバイス、携帯型ナビゲーションシステム、ならびにレーダー探知機が挙げられる。本出願では、適切な装備を有する携帯型電子デバイスが参照され。適切な装備を有する携帯型電子デバイスとは、本発明のトレイとともに動作するために必要な機器を有するようなデバイスを指す。トレイおよび携帯型電子デバイスは、機能性に関して整合しなければならない。たとえば、携帯型電子デバイスが、ホストへの接続を必要とする場合、適切に整合する接続が、携帯型電子デバイスおよびトレイ内に必要である。携帯型電子デバイスがＩＰＯＤ（商標）パーソナル娯楽システムである場合、トレイは、ＩＰＯＤ（商標）パーソナル娯楽システムに嵌合するドッキングジャックを有しなければならない。別の実施形態では、トレイがワイヤレスバッテリー再充電システムを含んでおり、携帯型電子デバイスは、バッテリーを再充電することができる電気の形態に、電磁場を変換するように適合された整合機器を必要とする。トレイが、電磁場を発生するワイヤのコイルを含んでいる実施形態では、携帯型電子デバイスは、トレイ中に配置されたコイルからの電磁場を、携帯型電子デバイスのバッテリーを再充電することができる電気に変換することができる別のワイヤコイルを含んでもよい。使用時には、携帯型電子デバイスは、２つのワイヤコイルが、エネルギーを伝達するように機能することができるような適切な位置に配置されなければならない。好ましい実施形態では、コイルは両方とも、コイルの中央に配置された磁石を有し、これにより、ユーザが、携帯型電子デバイスのコイルを、トレイのコイルと位置合わせすることができるようになる。ユーザは、磁石が整列するまで、携帯型電子デバイスをトレイの上のあたりで動かすことができる。一般に、ユーザは、トレイが整列するときを感知することができる。
【００２６】
特許請求された発明の理解を助けるために、図面について以下に説明する。この説明は、発明者らが規定した特許請求の範囲の範囲を限定することを意図するものではない。図１に、本発明のトレイ（１０）の実施形態をトレイの外側から示し、携帯型電子デバイス（１８）が表示パネル（１２）上に載っている。ベースパネル（１１）と、表示パネル（１２）と、接続パネル（１３）とを有するトレイ（１０）が示され、パネル（１１）、（１２）および（１３）は、トレイ（１０）の統合された外殻を提供する。ベースパネル（１１）は、ベースパネル（１１）の下側部分（２３）と、ベースパネル（１１）の上側部分（２４）とを備え、対向する側面に、スライドしてアセンブリ（図示せず）の溝に入るように適合された平行な突出部（１４）を有する。トレイは、ベースパネル（１１）の突出部（１４）に沿って配置されたベースパネル（１１）の側面に、開口部（１６）から突出した電気的接点（１５）を有する。ロケータ（１７）は、トレイの後ろ側（１９）において、ベースパネル（１１）の上側部分（２４）の上面（２１）に配置されたリッジである。トレイ（１０）は、前面（２０）と、底面２２（実際には図示せず）を有する。
【００２７】
図２に、ベースパネル（１１）と、表示パネル（１２）と、接続パネル（１３）とを有する本発明のトレイ（１０）を示し、図２は、トレイ（１０）の内側部分の一部を示すために、部分的に切り取られている。また、ベースパネルの突出部（１４）、およびベースパネル（１１）の突出部（１４）の一部である、ベースパネル（１１）の縁部の開口部（１６）に配置された電気的接点（１５）も示されている。また、トレイの後ろ側（１９）にあるロケータ（１７）も示されている。ベースパネル（１１）の底面（２２）に、ロケータ（１７’）が示されている。ベースパネルの下側部分（２３）は全体が示され、ベースパネルの上側部分（２４）は一部のみが示されている。この実施形態は、ベースパネルの上側部分（２４）およびベースパネルの下側部分（２３）が、トレイの内側部分の一部を部分的に取り囲んでいることが示されている。見えている内側部分は、ワイヤ（２６）によって電気的接点（１５）に接続された制御モジュール（２５）を含むバッテリー再充電システム（６２）のいくつかの部分を含む。また、表示パネル（１２）に隣接して、電磁場を発生するように適合された電気コイル（２７）が示されている。制御モジュール（２５）と電気コイル（２７）との間に、電気コイル（２７）によって発生した電磁場から、制御モジュール（２５）を保護するように適合された２つのシールド（２８）が配置される。
【００２８】
図３は、本発明のトレイ（１０）の後ろ側（１９）の近くに配置された電気的接点（１５）の拡大図である。上側部分（２４）と下側部分（２３）とを有するベースパネル（１１）が示されている。示されている部分には、ベースパネル（１１）からの突出部（１４）の一部と、突出部（１４）に沿ったベースパネル（１１）の開口部（１６）とが含まれ、導電性の金属ストリップを備える電気的接点（１５）が、開口部（１６）から突出している。また、トレイの上面（２１）も示される。トレイの上面（２１）上のトレイの後ろ側（１９）の近くに、ロケータ（１７）が示される。トレイの底面（２２）上のトレイの後ろ側（１９）の近くに、ロケータ（１７’）が示される。
【００２９】
図４は、ベースパネル（１１）の下側部分（２３）を示す。ベースパネル（１１）の下側部分（２３）の対向する側にある２つの平行な突出部（１４）が示されている。トレイ（１０）の後ろ側（１９）にある突出部（１４）に、電気的接点（１５）である２つの導電性の金属ストリップを有する２つの開口部（１６）が配置される。電気的接点（１５）は、ワイヤ（２６）によって制御モジュール（２５）に接続される。トレイの後ろ側（１９）におけるベースパネル（１１）の下側部分（２３）の底面に、ロケータ（１７）として機能するリッジが示される。制御モジュール（２５）の上面にはシールド（２８）がある。シールド（２８）および制御モジュール（２５）は、各端部に配置されたねじまたはスナップ嵌合（３０）によって、ベースパネルの下側部分（２３）に固定される。ワイヤ（２６）は、チャネル（ワイヤバレー）（３１）内に配置され、スナップ嵌合（２９）によって定位置に保持される。下側部分パネル（２３）に沿ったスナップ嵌合（３１）が示される。これらのスナップ嵌合（３１）は、ベースパネル（１１）の２つの部分を一緒に保持するために、ベースパネルの上側部分（２４）の部品（図示せず）と嵌合するように適合される。
【００３０】
図５は、本発明のトレイ（１０）の図であり、表示パネル（１２）およびベースパネル（１１）の上側部分（２４）は見えていない。電磁場を発生するように適合されたワイヤのコイル（３３）は見えている。ワイヤのコイル（３３）の内側に、携帯型電子デバイス（１８）のバッテリー充電器（図示せず）を電気コイル（３３）と位置合わせする際に役立つように適合された磁石（３４）が配置される。さらに、電気コイルを保持するための手段（６４）が、表示パネル（３５）の近くに、またはそれに隣接して示されている。また、電気ワイヤ（２６）、接続パネル（１３）、ベースパネル（１１）の下側部分（２３）、およびロケータ（１７）も示されている。また、制御モジュール（２５）をワイヤのコイル（３３）に接続するワイヤ（６６）も示される。
【００３１】
図６は、ハウジング（３６）を有する本発明のアセンブリの図であり、トレイ（１０）が直立位置にある。図６は、備えるハウジング（３６）の溝（３７）にスライドして、入ったトレイ（１０）を示す。表示パネル（１２）は上向きに設けられている。突出部（１４）は、部分的にスライドして溝（３７）に入っている。溝（３７）は、その中に、電気をトレイ（１０）に伝導するように適合された導電性の金属ストリップ（３８）を配置している。ハウジング（３６）は、その中に配置された溝（３７）を有する、対向するパネル（３９）を示している。また、図６に、電力を供給することができる、あるいは情報を使用または発生し、アセンブリ（３６）に配置されたトレイ（１０）上の携帯型電子デバイス（１８）とその情報を共有することができるホスト（７０）と、アセンブリ（３６）を接続するワイヤ（６８）も示す。
【００３２】
図７は、表示パネル（１２）が下を向いている本発明のアセンブリの図である。図６は、スライドしてハウジング（３６）の溝（３７）に入ったトレイ（１０）を示す。表示パネル（１２）は下向きに設けられている。突出部（１４）は、部分的にスライドして溝（３７）に入っている。トレイの底面（２２）は、上向きに設けられ、ユーティリティトレイとして有用である。溝（３７）は、その中に、電気をトレイ（１０）に伝導するように適合された導電性の金属ストリップ（３８）を配置している。ハウジング（３６）は、その中に溝（３７）を配置した対向するパネル（３９）を示している。
【００３３】
図８は、本発明のトレイをその中に置くことができるハウジング（３６）の１つのパネルの図であり、溝（３７）および金属接点（３８）が示されている。その中に設けられた金属ストリップ（３８）を有する溝（３７）が示される。また、溝に挿入されるにつれて、トレイを適切な場所に導くように適合されたガイド（４０）も示される。また、トレイ（１０）から離隔し、ハウジング（３６）の対向するパネル（３９）の溝（３７）に配置された導電性の金属ストリップ（３８）と接触する電気的接点（１５）も示される。
【００３４】
図９および図１０は、ユーザエリア中に延びたトレイの図である。トレイ（１０）は、アーム（５０）に取り付けられている。アームは、第１の回転リンク（５２）と、第２の回転リンク（５４）とを含む。トラック（５６）は、ロック（５８）とともに示される。図９に示されたトレイは、ユーザ空間内に延びた状態と保管位置にある状態の両方で示される。また、図９に、回転リンクの回転運動も示す。図１０には、自動車（ホスト）において、コンソール（ハウジング（３６））から延びたトレイ（１０）を示す。表示パネル（１２）またはトレイ（１０）上の定位置に携帯型電子デバイス（１８）を保持するように適合された棚またはパネル（６０）を有する表示パネル（１２）上に設けられた携帯型電子デバイス（１８）が示される。
【００３５】
本明細書に提示された説明および例示は、本発明、その原理およびその実際の適用例により当業者に知らせることが意図される。当業者は、具体的な使用要件に最もよく合うように、本発明を数多くの形態に適合および適用することができる。したがって、記載された本発明の具体的な実施形態は、排他的なものとも、本発明を限定するものとも意図されない。したがって、本発明の範囲は、上述の説明を参照して判断されるべきではなく、その代わりに、かかる特許請求の範囲が享受する均等物の範囲全体とともに、特許請求の範囲を参照して判断されるべきである。特許出願および公報を含むすべての文献および参照文献の開示は、あらゆる目的で、参照により組み込まれる。以下の特許請求の範囲から集められるであろうものとして、他の組合せも可能であり、それらもこの記載された本明細書に参照により組み込まれる。
【図１】
2013514057.tif 000003
【図２】
2013514057.tif 000004
【図３】
2013514057.tif 000005
【図４】
2013514057.tif 000006
【図５】
2013514057.tif 000007
【図６】
2013514057.tif 000008
【図７】
2013514057.tif 000009
【図８】
2013514057.tif 000010
【図９】
2013514057.tif 000011
【図１０】
2013514057.tif 000012
【手続補正書】
【提出日】平成24年6月13日(2012.6.13)
【手続補正１】
【補正対象書類名】特許請求の範囲
【補正対象項目名】全文
【補正方法】変更
【補正の内容】
【特許請求の範囲】
【請求項１】
トレイ（１０）であって、
ａ）構造（３６）の溝（３７）内にスライドするように適合された２つの対向する縁部１４を有するベースパネル（１１）と、
ｂ）ホスト（７０）とバッテリー再充電システム（６２）との間で電気を伝導するように適合された接点（１５）の対と、
ｃ）再充電可能なバッテリーを有する適切に装備された携帯型電気デバイス（１８）に対して、電荷を移動することができる１つまたは複数の電磁場を提供するように適合された前記バッテリー再充電システム（６２）であって、前記バッテリー再充電システム（６２）が、ｉ）前記接続手段（２６）に接続された制御モジュール（２５）と、ｉｉ）電気エネルギーの電磁場変換手段（２７）と、ｉｉｉ）前記電気エネルギーの電磁場変換手段（３３）と前記制御モジュールを接続するように適合された第２の接続手段と、ｉｖ）前記制御モジュール（２５）と前記電気エネルギーの電磁場変換手段（３３）との間に配置されたシールド（２８）と、ｖ）前記電気エネルギーの電磁場変換手段（６６）を前記表示パネル（１２）の前記見えない面上に、またはその近くに保持するための固定手段（６６）とを備える、前記バッテリー再充電システムと、
ｄ）前記バッテリー再充電システム（６２）に、または前記携帯型電子デバイス（１８）への前記接点に、前記接点を接続するための手段（２６）と、
ｅ）１つまたは複数の携帯型電気デバイス（１８）をその上に載せるための表面を提供する１つまたは複数の表示パネル（１２）であって、かかるパネル（１２）が、前記携帯型電子デバイス（１８）の１人または複数のユーザが、前記携帯型電子デバイス（１８）の１つまたは複数のディスプレイを見られるようにするように適合される、表示パネル（１２）と、
ｆ）前記ベースパネル（１１）と前記１つまたは複数の表示パネル（１２）とを接続し、前記トレイ（１０）を取り囲むためのパネル（１３）と
を備える、トレイ。
【請求項２】
前記ベースパネル（１２）は底部（２２）を備え、前記底部が上を向くように置かれたときに、前記底部はトレイとして機能するように適合される、請求項１に記載のトレイ。
【請求項３】
前記接点（１５）は、前記ベースパネル（１１）の突出部（１４）上に配置され、前記接点（１５）は、前記トレイ（１０）がスライドして構造（３６）の溝（３７）に入ったときに、前記接点（１５）が、溝（３７）の中の接点（１５）と接触するように配置される、請求項１または２に記載のトレイ。
【請求項４】
前記固定手段（６６）は、前記電気エネルギーの電磁場変換手段（６６）を、前記表示パネル（１２）に対して平行かつｘおよびｙ方向に動かすことができるように適合される、請求項１から３のいずれか１つに記載のトレイ。
【請求項５】
前記ホスト（７０）が車両である、請求項１から４のいずれか１つに記載の記載のトレイ。
【請求項６】
前記１つまたは複数の表示パネルが、前記車両の乗員のうちの１人または複数が、前記表示パネル上に置かれた再充電可能な携帯型デバイスのディスプレイを見られるように適合された、請求項１から５のいずれかに記載のトレイ。
【請求項７】
１つまたは複数の携帯型電気デバイス（１８）を保持するように適合された前記表示パネル（１２）の底面に配置された棚（６０）をさらに備える、請求項１から６のいずれか１つに記載のトレイ。
【請求項８】
前記再充電可能な携帯型電気デバイス（１８）を所望の場所に配置するための配置手段（３４）をさらに備える、請求項１から７のいずれか１つに記載のトレイ。
【請求項９】
前記配置手段が、前記表示パネル（１２）の見えない面上に、またはその近くに配置された磁石（３４）である、請求項８に記載のトレイ。
【請求項１０】
前記制御モジュール（２５）が、ベースパネル（１１）上に配置され、前記シールド（２８）が、前記制御モジュール（２５）と、前記電気エネルギーの電磁場変換手段（３３）との間で、前記制御モジュール（２５）の上面上に配置される、請求項１から９のいずれか１つに記載のトレイ。
【請求項１１】
ｉｉ）前記電気エネルギーの電磁場変換手段（３３）が、導電性ワイヤの円形コイルと、前記導電性ワイヤの円形コイル（３３）内にある磁石を備える前記配置手段（３４）とを備える、請求項１から１０のいずれか１つに記載のトレイ。
【請求項１２】
前記携帯型電子デバイス（１８）および車両の他の情報システムと通信するように適合されたデータ交換システム（７０）をさらに備える、請求項１から１１のいずれか１つに記載されたトレイ。
【請求項１３】
前記表示パネル（１２）または前記表示パネル（１２）の一部分が、前記携帯型電子デバイス（１８）上のディスプレイを異なる視点から見ることができるようにするために可動式である、請求項１から１２のいずれか１つに記載のトレイ。
【請求項１４】
前記トレイ（１０）が、前記携帯型電子デバイス（１８）と情報を使用または発生する前記ホスト（７０）中のシステムとの間で情報を伝達するように適合された情報伝送システムをさらに備える、請求項１から請求項１３のうちのいずれか１つに記載のトレイ。
【請求項１５】
前記トレイ（１０）が、アーム（５０）によって取り付けられる、請求項７から１４のいずれか１つに記載のトレイ。
【請求項１６】
前記トレイ（１０）が、１つまたは複数の回転リンク（５２，５４）を含む、請求項７から１５のいずれか１つに記載のトレイ。
【請求項１７】
前記トレイ（１０）が、ロックアウト（５８）を含む、請求項７から１６のいずれか１つに記載のトレイ。
【請求項１８】
アセンブリであって、
トレイ（１０）を受けるように適合された少なくとも２つの実質的に平行なパネル（３９）によって規定された空間を有するハウジング（３６）であって、前記空間が、前記実質的に平行なパネル（３９）の各々に配置された２つの溝（３７）を有し、前記溝（３７）が、互いに平行に設けられ、電気を伝導しかつ／またはデータを伝送することができるホスト接点（３８）が、前記トレイ（１０）上の接点（１４）および電源または前記ホスト（７０）内の情報を使用または発生するシステムに前記接点（１５）を接続するための手段（６８）と接触することができるように、前記アセンブリに配置される、ハウジング（３６）と、
請求項１から請求項１７のうちのいずれか１つに記載のトレイ（１０）であって、前記ベースパネル（１１）が、電気エネルギーおよび／またはデータが、前記ホスト（７０）から前記バッテリー再充電システム（６２）または携帯型電子デバイス（１８）の前記接続に伝導することができるような状況下において、前記トレイ（１０）の前記接点（１５）が、前記溝（３７）の前記接点（３８）に緊密に接触するような様式でスライドして、前記ハウジング（３９）の前記溝（３７）に入る、トレイ（１０）と
を備える、アセンブリ。
【請求項１９】
前記ハウジング（３６）が、車両に統合される、請求項１８に記載のアセンブリ。
【請求項２０】
前記ハウジング（３６）が、車両計器パネルまたは車両コンソールに統合される、請求項１９に記載のアセンブリ。
【国際調査報告】
2013514057.tif 000013
2013514057.tif 000014
2013514057.tif 000015